(57)【要約】【課題】紙葉類の処理の効率を向上させることができる紙葉類処理装置を提供する。【解決手段】装置外に開口し、装置外から紙葉類Ｓがセットされると共にセットされた集積状態の紙葉類Ｓを一枚ずつ繰り出す受入口１１と、受入口１１から繰り出された紙葉類Ｓを搬送する搬送部３０と、搬送部３０で搬送中の紙葉類Ｓを識別しつつ計数する識別部２２と、装置外に開口し、識別部２２で計数対象紙葉類と識別されて計数された紙葉類Ｓを収容する計数後収容口１４と、識別部２２でリジェクト紙葉類と識別された紙葉類をリジェクト要因別に分類して収容する複数のリジェクト収容口１２，１３と、を有する。【選択図】図１
2018169853.tif 000002
【特許請求の範囲】
【請求項１】
装置外に開口し、装置外から紙葉類がセットされると共にセットされた集積状態の紙葉類を一枚ずつ繰り出す受入口と、
前記受入口から繰り出された紙葉類を搬送する搬送部と、
前記搬送部で搬送中の紙葉類を識別しつつ計数する識別部と、
前記識別部で計数対象紙葉類と識別されて計数された紙葉類を収容する計数後収容口と、
前記識別部でリジェクト紙葉類と識別された紙葉類をリジェクト要因別に分類して収容する複数のリジェクト収容口と、を有することを特徴とする紙葉類処理装置。
【請求項２】
前記複数のリジェクト収容口は、リジェクト仮収容口とリジェクト決定収容口とを含み、
前記識別部で再度識別することで前記計数後収容口に収容される可能性がある紙葉類を前記リジェクト仮収容口に収容させ、
前記識別部で再度識別しても前記計数後収容口に収容される可能性がない紙葉類を前記リジェクト決定収容口に収容させる制御部をさらに有することを特徴とする請求項１記載の紙葉類処理装置。
【請求項３】
前記制御部は、前記リジェクト仮収容口に紙葉類が存在する場合に、前記リジェクト仮収容口に収容された紙葉類を前記受入口へセットするように促す旨を報知することを特徴とする請求項２記載の紙葉類処理装置。
【請求項４】
前記リジェクト仮収容口は、収容している紙葉類を一枚ずつ繰り出し可能であり、
前記リジェクト仮収容口から繰り出された紙葉類を前記識別部に搬送する戻し搬送部が設けられていることを特徴とする請求項２記載の紙葉類処理装置。
【請求項５】
前記制御部は、前記リジェクト仮収容口に収容される紙葉類が存在しなくなるまで、前記リジェクト仮収容口に収容された紙葉類を前記戻し搬送部により前記識別部へ搬送させることを特徴とする請求項４記載の紙葉類処理装置。
【請求項６】
前記受入口と前記識別部とが横方向に並んで設けられており、
前記受入口は、装置本体から前記横方向に前記識別部とは反対側に引き出し可能であり、
前記受入口が前記装置本体から前記横方向に引き出された状態で、前記識別部と前記搬送部とを開放可能となっていることを特徴とする請求項１から５のいずれか一項記載の紙葉類処理装置。
【請求項７】
前記搬送部を構成するベース機内搬送構成部と前記受入口と前記識別部と前記リジェクト収容口とを有するベース機と、
前記搬送部を構成する一の処理機内搬送構成部と前記計数後収容口とを有する一の処理機と、
前記搬送部を構成する他の処理機内搬送構成部を有する他の処理機と、
を有し、
前記ベース機に前記一の処理機と前記他の処理機とが連設可能であり、
前記一の処理機内搬送構成部は、
隣り合う前記ベース機に設けられた前記ベース機内搬送構成部または前記ベース機側に隣り合う前記他の処理機に設けられた前記他の処理機内搬送構成部と、前記ベース機とは反対側に隣り合う前記他の処理機に設けられた前記他の処理機内搬送構成部とを結ぶ連結搬送構成部と、
前記連結搬送構成部から分岐して前記計数後収容口に繋がる分岐搬送構成部と、を有しており、
前記連結搬送構成部と前記分岐搬送構成部とが独立して駆動可能であることを特徴とする請求項１から６のいずれか一項記載の紙葉類処理装置。
【発明の詳細な説明】
【技術分野】
【０００１】
本発明は、紙葉類処理装置に関する。
【背景技術】
【０００２】
従来から、紙葉類を処理する紙葉類処理装置が提案されている（例えば、特許文献１参照）。紙葉類処理装置は、受入口に集積状態で投入された紙葉類を機内に一枚ずつ取り込み、受入口から繰り出された紙葉類を搬送する搬送路上に設けられた識別部で識別し、識別部で識別された種別に応じて紙葉類を搬送路で振り分け、複数の収容部に外部に取り出し可能に収容する。
【先行技術文献】
【特許文献】
【０００３】
【特許文献１】特開２０１５−４１１３４号公報
【発明の概要】
【発明が解決しようとする課題】
【０００４】
上記のような紙幣類処理装置は、識別部の識別結果に基づいて計数対象紙葉類と識別された紙葉類を収容する収容部に加えて、例えば識別が不能な識別不能紙幣や重送等のリジェクト紙葉類と識別された紙葉類を収容するリジェクト収容部を一つ有している。このため、リジェクト紙葉類と識別された紙葉類は、リジェクト要因が異なっていても一律で、一つのリジェクト収容部に収容されることになってしまう。すると、紙葉類の処理の効率を低下させてしまう可能性がある。
【０００５】
したがって、本発明は、紙葉類の処理の効率を向上させることができる紙葉類処理装置の提供を目的とする。
【課題を解決するための手段】
【０００６】
上記目的を達成するために、本発明に係る第１の態様は、装置外に開口し、装置外から紙葉類がセットされると共にセットされた集積状態の紙葉類を一枚ずつ繰り出す受入口と、前記受入口から繰り出された紙葉類を搬送する搬送部と、前記搬送部で搬送中の紙葉類を識別しつつ計数する識別部と、前記識別部で計数対象紙葉類と識別されて計数された紙葉類を収容する計数後収容口と、前記識別部でリジェクト紙葉類と識別された紙葉類をリジェクト要因別に分類して収容する複数のリジェクト収容口と、を有することを特徴とする。
【０００７】
上記第１の態様によれば、識別部でリジェクト紙葉類と識別された紙葉類をリジェクト要因別に分類して収容する複数のリジェクト収容口を有するため、リジェクト紙葉類と識別された紙葉類をリジェクト要因によって分類することができる。よって、リジェクト紙葉類と識別された紙葉類に対して行う、その後の処理の効率を向上させることができる。
【０００８】
本発明に係る第２の態様は、上記第１の態様において、前記複数のリジェクト収容口は、リジェクト仮収容口とリジェクト決定収容口とを含み、前記識別部で再度識別することで前記計数後収容口に収容される可能性がある紙葉類を前記リジェクト仮収容口に収容させ、前記識別部で再度識別しても前記計数後収容口に収容される可能性がない紙葉類を前記リジェクト決定収容口に収容させる制御部をさらに有することを特徴とする。
【０００９】
上記第２の態様によれば、リジェクト仮収容口に、リジェクト紙葉類と識別された紙葉類のうち、識別部で再度識別することで計数後収容口に収容される可能性がある紙葉類を収容し、リジェクト決定収容口に、リジェクト紙葉類と識別された紙葉類のうち、識別部で再度識別しても計数後収容口に収容される可能性がない紙葉類を収容するため、リジェクト仮収容口に収容された紙葉類のみを識別部で再識別させれば、この再識別で計数対象紙葉類と識別された紙葉類を計数後収容口に収容できる。よって、リジェクト紙葉類と識別された全ての紙葉類を再識別させる場合と比べて、再識別処理に要する時間を短縮できる。
【００１０】
本発明に係る第３の態様は、上記第２の態様において、前記制御部は、前記リジェクト仮収容口に紙葉類が存在する場合に、前記リジェクト仮収容口に収容された紙葉類を前記受入口へセットするように促す旨を報知することを特徴とする。
【００１１】
上記第３の態様によれば、リジェクト仮収容口に紙葉類が存在する場合には、リジェクト仮収容口に収容された紙葉類を受入口へセットするように促す旨が報知されるため、この報知により、操作者はリジェクト仮収容口に収容された紙葉類を受入口へ再投入することができる。
【００１２】
本発明に係る第４の態様は、上記第２の態様において、前記リジェクト仮収容口は、収容している紙葉類を一枚ずつ繰り出し可能であり、前記リジェクト仮収容口から繰り出された紙葉類を前記識別部に搬送する戻し搬送部が設けられていることを特徴とする。
【００１３】
上記第４の態様によれば、リジェクト紙葉類と識別された紙葉類のうち、識別部で再度識別することで計数後収容口に収容される可能性がある紙葉類を、収容しているリジェクト仮収容口が一枚ずつ繰り出し、戻し搬送部が識別部に搬送するため、リジェクト仮収容口の紙葉類を自動的に再度識別することができる。
【００１４】
本発明に係る第５の態様は、上記第４の態様において、前記制御部は、前記リジェクト仮収容口に収容される紙葉類が存在しなくなるまで、前記リジェクト仮収容口に収容された紙葉類を前記戻し搬送部により前記識別部へ搬送させることを特徴とする。
【００１５】
上記第５の態様によれば、リジェクト仮収容口に収容される紙葉類が存在しなくなるまで、リジェクト仮収容口に収容された紙葉類が戻し搬送部により識別部へ自動的に搬送されるため、操作者の手作業による紙葉類の戻し操作が不要になって、さらに効率的に紙幣処理を行うことが可能になる。
【００１６】
本発明に係る第６の態様は、上記第１乃至第５のいずれか一態様において、前記受入口と前記識別部とが横方向に並んで設けられており、前記受入口は、装置本体から前記横方向に前記識別部とは反対側に引き出し可能であり、前記受入口が前記装置本体から前記横方向に引き出された状態で、前記識別部と前記搬送部とを開放可能となっていることを特徴とする。
【００１７】
上記第６の態様によれば、受入口を、装置本体から横方向に識別部とは反対側に引き出すことで、識別部と、搬送部とを開放可能となる。よって、ジャム紙葉類の取り出しが容易となる。
【００１８】
本発明に係る第７の態様は、上記第１乃至第６のいずれか一態様において、前記搬送部を構成するベース機内搬送構成部と前記受入口と前記識別部と前記リジェクト収容口とを有するベース機と、前記搬送部を構成する一の処理機内搬送構成部と前記計数後収容口とを有する一の処理機と、前記搬送部を構成する他の処理機内搬送構成部を有する他の処理機と、を有し、前記ベース機に前記一の処理機と前記他の処理機とが連設可能であり、前記一の処理機内搬送構成部は、隣り合う前記ベース機に設けられた前記ベース機内搬送構成部または前記ベース機側に隣り合う前記他の処理機に設けられた前記他の処理機内搬送構成部と、前記ベース機とは反対側に隣り合う前記他の処理機に設けられた前記他の処理機内搬送構成部とを結ぶ連結搬送構成部と、前記連結搬送構成部から分岐して前記計数後収容口に繋がる分岐搬送構成部と、を有しており、前記連結搬送構成部と前記分岐搬送構成部とが独立して駆動可能であることを特徴とする。
【００１９】
上記第７の態様によれば、一の処理機の連結搬送構成部と分岐搬送構成部とが独立して駆動可能であるため、例えば、一の処理機の連結搬送構成部を介して、この一の処理機に隣り合うベース機のベース機内搬送構成部またはベース機側に隣り合う他の処理機に設けられた他の処理機内搬送構成部から、この一の処理機のベース機とは反対側に隣り合う他の処理機に設けられた他の処理機内搬送構成部に紙葉類を搬送する際に、この一の処理機の計数後収容口に繋がる分岐搬送構成部を非駆動とすれば、電力消費を抑制することができる。また、この一の処理機の分岐搬送構成部が駆動不可な状態であっても、一の処理機の連結搬送構成部を介して、ベース機またはベース機側の他の処理機から、ベース機とは反対側の他の処理機に紙葉類を搬送することができる。
【発明の効果】
【００２０】
本発明によれば、紙葉類の処理の効率を向上させることができる紙葉類処理装置を提供することができる。
【図面の簡単な説明】
【００２１】
【図１】本発明に係る第１実施形態の紙葉類処理装置を正面側から見た概略構成図である。
【図２】本発明に係る第１実施形態の紙葉類処理装置の受入口を引き出し、搬送部を開放した状態を示す正面側から見た概略構成図である。
【図３】本発明に係る第１実施形態の紙葉類処理装置の受入口を引き出し、搬送部を開放した状態の変形例を示す正面側から見た概略構成図である。
【図４】本発明に係る第１実施形態の紙葉類処理装置の受入口を引き出し、搬送部を開放した状態の別の変形例を示す正面側から見た概略構成図である。
【図５】本発明に係る第１実施形態の紙葉類処理装置の第１動作モードの分類処理のフローチャートである。
【図６】本発明に係る第１実施形態の紙葉類処理装置の第２動作モードの分類処理のフローチャートである。
【図７】本発明に係る第２実施形態の紙葉類処理装置を正面側から見た概略構成図である。
【図８】本発明に係る第２実施形態の紙葉類処理装置の分類処理のフローチャートである。
【図９】本発明に係る第３実施形態の紙葉類処理装置を正面側から見た概略構成図である。
【発明を実施するための形態】
【００２２】
＜第１実施形態＞
本発明に係る第１実施形態の紙葉類処理装置を図１〜図６を参照して以下に説明する。図１に示す本実施形態に係る紙葉類処理装置１は、紙葉類Ｓとして主に紙幣を分類処理するものであり、投入された紙葉類Ｓを、計数対象である計数対象紙葉類と計数対象ではないリジェクト紙葉類とに分類し、計数対象紙葉類をさらに種類別に計数して種類別に収容し、計数結果と収容先とを関連付けて表示するものである。以下の説明において、「前」は操作者側、「後」は操作者とは反対側、「右」は操作者から見て右側、「左」は操作者から見て左側である。
【００２３】
第１実施形態の紙葉類処理装置１は、図１に示すように、ベース機２と、処理機としての分類収容機３とが組み合わせられて構成されている。
【００２４】
ベース機２は、その右側面側の下部に設けられて右側面および前面に亘ってベース機２外すなわち紙葉類処理装置１外に常時開口する受入口１１と、同じく右側面側の上下方向中間部に設けられて右側面および前面に亘ってベース機２外すなわち紙葉類処理装置１外に常時開口する下側リジェクト収容口１２（収容口，リジェクト収容口，リジェクト仮収容口）と、同じく右側面側の上部に設けられて右側面および前面に亘ってベース機２外すなわち紙葉類処理装置１外に常時開口する上側リジェクト収容口１３（収容口，リジェクト収容口，リジェクト決定収容口）と、を有している。受入口１１、下側リジェクト収容口１２および上側リジェクト収容口１３は、前後方向および左右方向の位置を重ね合わせて下から上に並んで配置されている。
【００２５】
受入口１１には、複数枚の紙葉類Ｓが長辺を前後に沿わせ、短辺を左右に沿わせて上下方向に集積された状態でセットされることになる。受入口１１は、このようにセットされた集積状態の紙葉類Ｓを最下のものから一枚ずつ分離し繰り出して紙葉類処理装置１内に取り込む。受入口１１から繰り出される紙葉類Ｓは、その短辺の延在方向に沿って移動する。
【００２６】
ベース機２の内部には、受入口１１から繰り出された紙葉類Ｓを搬送するベース機内搬送構成部２１と、ベース機内搬送構成部２１で搬送中の紙葉類Ｓを識別しつつ計数する識別部２２とが設けられている。ベース機内搬送構成部２１で搬送される紙葉類Ｓは、その短辺の延在方向に沿って移動する。識別部２２は、ベース機内搬送構成部２１の受入口１１側の端部位置に設けられて、受入口１１が繰り出す紙葉類Ｓの搬送状態を検出する検出部２３と、ベース機内搬送構成部２１の検出部２３よりも下流側に設けられて紙葉類Ｓの搬送状態以外の金種等の種類の識別を行う識別本体部２４と、を有している。
【００２７】
ベース機内搬送構成部２１は、受入口１１からベース機２の左側面に向けて延出する左方延出部２１ａと、左方延出部２１ａの左側面近傍の端部から上方に延出する上方延出部２１ｂと、上方延出部２１ｂの上端部からベース機２の左側面に向け延出して左側面に開口する左方延出部２１ｃと、を有している。ベース機内搬送構成部２１には、鉛直方向に沿う上方延出部２１ｂに識別部２２が設けられている。
【００２８】
ベース機内搬送構成部２１は、上方延出部２１ｂの識別部２２よりも上側から分岐し、ベース機２の右側面に向け延出して下側リジェクト収容口１２に繋がる分岐延出部２１ｄと、上方延出部２１ｂの分岐延出部２１ｄよりも上側の上端部から分岐し、ベース機２の右側面に向け延出して上側リジェクト収容口１３に繋がる分岐延出部２１ｅと、を有している。
【００２９】
分類収容機３の内部には、ベース機２の左方延出部２１ｃに接続され、左方延出部２１ｃから繰り出された紙葉類Ｓを搬送する分類収容機内搬送構成部２７（処理機内搬送構成部）が設けられている。分類収容機内搬送構成部２７で搬送される紙葉類Ｓも、その短辺の延在方向に沿って移動する。
【００３０】
分類収容機内搬送構成部２７は、分類収容機３の右側面の上部に開口し、分類収容機３の左側面に向け水平かつ直線状に延出して、左側面の上部に開口する連結搬送構成部２７Ａと、連結搬送構成部２７Ａの左側部分から下側に分岐する分岐搬送構成部２７Ｂとを有している。連結搬送構成部２７Ａと分岐搬送構成部２７Ｂとは、それぞれ個別の駆動モータを有しており、独立して駆動可能となっている。
【００３１】
分岐搬送構成部２７Ｂは、連結搬送構成部２７Ａの左側から分岐して鉛直下方に延出し、連結搬送構成部２７Ａとは反対の末端部が、分類収容機３の右側面に向けて延出する下方延出部２７Ｂａと、下方延出部２７Ｂａの中間位置から分岐して分類収容機３の右側面に向けて延出する、複数具体的には３つの分岐延出部２７Ｂｂとを有している。下方延出部２７Ｂａの末端部と３つの分岐延出部２７Ｂｂとに、それぞれ計数後収容口１４（収容口）が接続されている。よって、分類収容機３には、複数（具体的には４カ所）の計数後収容口１４が設けられている。計数後収容口１４は、いずれも、分類収容機３の前面から分類収容機３外すなわち紙葉類処理装置１外に常時開口している。
【００３２】
分類収容機３に設けられた複数の計数後収容口１４は、前後方向および左右方向の位置を重ね合わせて上から下に並んで配置されている。複数の計数後収容口１４は、ベース機２に設けられた受入口１１、下側リジェクト収容口１２および上側リジェクト収容口１３とも、前後方向の位置を重ね合わせている。
【００３３】
互いに接続されたベース機内搬送構成部２１と分類収容機内搬送構成部２７とが、受入口１１から繰り出された紙葉類Ｓを搬送すると共に、搬送中に紙葉類Ｓが識別部２２で識別され、識別部２２よりも下流側の部分が識別部２２の識別結果に基づいて紙葉類Ｓを下側リジェクト収容口１２、上側リジェクト収容口１３および複数の計数後収容口１４のうちの一つに択一的に振り分ける搬送部３０を構成している。
【００３４】
紙葉類処理装置１において、下側リジェクト収容口１２、上側リジェクト収容口１３および複数の計数後収容口１４は、識別部２２の識別結果に基づいて紙葉類Ｓを分類して紙葉類処理装置１外に取り出し可能に収容する。
【００３５】
下側リジェクト収容口１２および上側リジェクト収容口１３は、受入口１１で紙葉類処理装置１内に取り込まれた紙葉類Ｓのうち、識別部２２で計数対象紙葉類以外のリジェクト紙葉類と識別された紙葉類Ｓを集積させて紙葉類処理装置１外に取り出し可能に収容するものである。下側リジェクト収容口１２および上側リジェクト収容口１３は、いずれも、ベース機内搬送構成部２１から紙葉類Ｓが繰り出されることになり、このように繰り出された紙葉類Ｓを繰り出し順（言い換えれば受入口１１の取り込み順）に下から上に集積させる。紙葉類Ｓは、ベース機内搬送構成部２１の分岐延出部２１ｄから下側リジェクト収容口１２に繰り出されると、下側リジェクト収容口１２内で、長辺を前後に沿わせ、短辺を左右に沿わせて下から上に集積される。また、紙葉類Ｓは、ベース機内搬送構成部２１の分岐延出部２１ｅから上側リジェクト収容口１３に繰り出されると、上側リジェクト収容口１３内で、長辺を前後に沿わせ、短辺を左右に沿わせて下から上に集積される。複数、具体的には２つの下側リジェクト収容口１２および上側リジェクト収容口１３は、識別部２２でリジェクト紙葉類と識別された紙葉類Ｓをリジェクト要因別に分類して収容する。
【００３６】
複数の計数後収容口１４は、受入口１１で紙葉類処理装置１内に取り込まれた紙葉類Ｓのうち、識別部２２で計数対象紙葉類と識別されて種類別に計数された紙葉類Ｓを種類別に集積させて紙葉類処理装置１外に取り出し可能に収容するものである。複数の計数後収容口１４は、いずれも、分類収容機内搬送構成部２７から紙葉類Ｓが繰り出されることになり、このように繰り出された紙葉類Ｓを繰り出し順（言い換えれば受入口１１の取り込み順）に右から左に集積させる。
【００３７】
紙葉類処理装置１のベース機２の前面には、操作入力を受け付けるとともに情報表示を行う操作表示部３１が設けられている。また、ベース機２の内部には、ベース機２およびベース機２に連結された分類収容機３の各部を制御する制御部３２と、識別の基準となるマスタデータや識別計数結果のデータ等を記憶する記憶部３３とが設けられている。
【００３８】
ベース機２に設けられた受入口１１は、上述したように紙葉類処理装置１の右側面側に右側方および前方に常時開口するように設けられている。受入口１１は、水平に対して若干左下がりに傾斜して配置される底部４０と、底部４０の左端位置から底部４０に対して垂直をなして上方に延出する壁部４１と、底部４０の後端縁部から鉛直上方に延出する壁部４３とを有している。底部４０および壁部４１は前後方向に広がっており、壁部４３は鉛直方向および左右方向に広がっている。底部４０と壁部４１と壁部４３とは互いに垂直に配置されている。受入口１１には、紙葉類Ｓが、壁部４１に一方の長辺を、壁部４３に一方の短辺を当接させるようにして、底部４０上に集積状態でセットされる。受入口１１は、底部４０の上方に設けられて壁部４１に沿って昇降するビルプレス４５を有しており、ビルプレス４５は、底部４０上に載置された紙葉類Ｓを底部４０に向けて押圧する。
【００３９】
受入口１１は、底部４０上にセットされた紙葉類Ｓのうちの最下の紙葉類Ｓを左方のベース機内搬送構成部２１に向けて蹴り出す蹴出ローラ５１と、蹴出ローラ５１で蹴り出された紙葉類Ｓを紙葉類処理装置１の内部に取り込んでベース機内搬送構成部２１に受け渡す取込ローラ５２と、取込ローラ５２で取り込む紙葉類Ｓを一枚ずつに分離する分離ローラ５３とを有している。蹴出ローラ５１、取込ローラ５２および分離ローラ５３が、受入口１１にセットされた紙葉類Ｓを一枚ずつ分離して紙葉類処理装置１の内部に取り込む取込部５５を構成している。
【００４０】
上記した識別部２２の検出部２３は、ベース機内搬送構成部２１の左方延出部２１ａにおける受入口１１の近傍位置に配置されており、紙葉類Ｓの受入口１１からの繰り出しの有無および紙葉類Ｓの搬送状態を検出する。検出部２３は、紙葉類Ｓの光透過率あるいは物理的厚さから重送の有無を検出し、紙葉類Ｓの長辺方向両側のそれぞれの検知タイミングのずれから斜行の有無を検出し、隣り合う紙葉類Ｓのそれぞれの検知タイミングの間隔からニアフィードの有無を検出する。検出部２３で、重送、斜行およびニアフィードのいずれも無いことが検出された紙葉類Ｓは、言い換えれば、検出部２３で正常搬送であることが検出された紙葉類Ｓになる。
【００４１】
識別部２２の識別本体部２４は、紙葉類Ｓの可視光照射時および紫外線照射時の画像を検出すると共に、それぞれを基準データと比較して、一致すると判定できる基準データの種類を、紙葉類Ｓの種類と特定する。このように種類が特定された紙葉類Ｓは、識別異常なしの紙葉類Ｓとなる。一方、一致すると判定できる基準データがない場合、識別異常ありの紙葉類Ｓと特定する。
【００４２】
ベース機２に設けられた下側リジェクト収容口１２および上側リジェクト収容口１３は、同様の構成であり、水平に対して若干左下がりに傾斜して配置される底部６０と、底部６０の左端位置から底部６０に略垂直をなして上方に延出する壁部６１と、底部６０の後端縁部から鉛直上方に延出する壁部６３と、を有している。底部６０および壁部６１は前後方向に広がっており、壁部６３は鉛直方向および左右方向に広がっている。
【００４３】
壁部６１の上部には、ベース機内搬送構成部２１の分岐延出部２１ｄの端末位置の近傍に設けられて分岐延出部２１ｄで搬送されてきた紙葉類Ｓを繰り出して底部６０に集積させる羽根車６５が設けられている。羽根車６５は、分岐延出部２１ｄで搬送されてきた紙葉類Ｓを羽根間に挟んで共に回転し、この紙葉類Ｓが壁部６１に当接して羽根間から抜け出すと、この紙葉類Ｓを羽根で底部６０側に押す。
【００４４】
図示は略すが、下側リジェクト収容口１２には、下側リジェクト収容口１２内の紙葉類Ｓの有無を検知する紙葉類有無検知センサと、この紙葉類有無センサの検知結果に基づいて点灯状態が切り替えられる有無表示照明とが設けられている。有無表示照明は、下側リジェクト収容口１２内に紙葉類Ｓがあることが紙葉類有無検知センサで検知されている状態では点灯し、下側リジェクト収容口１２内に紙葉類Ｓがないことが紙葉類有無検知センサで検知されている状態では消灯する。また、有無表示照明は、例えば下側リジェクト収容口１２内に紙葉類Ｓがフル状態になると点滅する。
【００４５】
有無表示照明は、例えば、底部６０に、ベース機２すなわち紙葉類処理装置１の前面位置および右側面位置で外に向け発光するように設けられている。羽根車６５で繰り出された紙葉類Ｓを案内して底部６０に集積させる図示略のカバーがある場合、有無表示照明を、このカバーに設けても良い。その場合、カバーを透明材料で形成し、カバーの全体を光らせるようにしても良い。上側リジェクト収容口１３にも、同様の紙葉類有無検知センサおよび有無表示照明が設けられている。
【００４６】
分類収容機３に設けられた複数の計数後収容口１４は、いずれも同様の構成であり、水平に対し右下がりに傾斜する底部７０と、底部７０の右端位置から底部７０に対し垂直をなして上方に延出する壁部７２と、底部６０の後端縁部から鉛直に延出する壁部７３と、を有している。底部７０および壁部７２は前後方向に広がっており、壁部７３は鉛直方向および左右方向に広がっている。底部７０と壁部７２と壁部７３とは互いに垂直に配置されている。
【００４７】
計数後収容口１４の底部７０の壁部７２とは反対側の端部には、分岐搬送構成部２７Ｂの当該計数後収容口１４の近傍位置に設けられて紙葉類Ｓを当該計数後収容口１４内に繰り出す羽根車７５が設けられている。羽根車７５は、分岐搬送構成部２７Ｂで搬送されてきた紙葉類Ｓを羽根間に挟んで共に回転し、この紙葉類Ｓが底部７０に当接して羽根間から抜け出すと、この紙葉類Ｓを羽根で壁部７２側に押す。これにより、紙葉類Ｓは、短辺を上下に沿わせて底部７０上に立った状態で、壁部７２に順に集積される。複数の計数後収容口１４のそれぞれにも、下側リジェクト収容口１２および上側リジェクト収容口１３と同様の紙葉類有無センサおよび有無表示照明が設けられている。計数後収容口１４の有無表示照明は、例えば、底部７０に、分類収容機３すなわち紙葉類処理装置１の前面位置で外に向け発光するように設けられている。
【００４８】
紙葉類処理装置１において、受入口１１と識別本体部２４とは上下方向および前後方向の位置を重ね合わせて配置されており、横方向のうちの左右方向に並んで設けられている。受入口１１は、図２に示すように、紙葉類処理装置１の受入口１１を除く装置本体８１に対し、左右方向一側である右側、すなわち識別本体部２４とは反対側に引き出し可能であり、左右方向他側である左側、すなわち識別本体部２４側に押し込み可能となっている。これにより、受入口１１を右側に引き出して左方延出部２１ａを開放することで、左方延出部２１ａのジャム紙葉類を容易に取り出すことができるようになっている。
【００４９】
また、識別本体部２４は、その内部に配置されたベース機内搬送構成部２１の一部を挟んで、左側、すなわち受入口１１とは反対側の識別本体構成部８２と、右側、すなわち受入口１１側の識別本体構成部８３とから構成されている。識別本体部２４は、受入口１１が装置本体８１から識別本体部２４とは反対側に引き出された状態で、識別本体構成部８３が右側、すなわち識別本体構成部８２から離れる方向にスライド可能となっている。このように、識別本体構成部８３をスライドさせて識別本体構成部８２から離すことによって、識別本体部２４は、左右方向に分離されてベース機内搬送構成部２１の識別本体部２４の内部に配置された部分を開放可能となっている。紙葉類処理装置１のベース機２の図示略の前面扉が開かれた状態で、識別本体部２４が内部のベース機内搬送構成部２１を開放することで、識別本体部２４内のジャム紙葉類を前方から容易に取り出すことができるようになっている。
【００５０】
ここで、識別本体構成部８３が識別本体構成部８２から離れる方向にスライドする以外にも、図３に示すように、識別本体構成部８３が上部を中心に識別本体構成部８２から離れる方向に揺動可能となっていても、内部のベース機内搬送構成部２１を開放可能となる。また、図４に示すように、識別本体構成部８３が下部を中心に識別本体構成部８２から離れる方向に揺動可能となっていても、内部のベース機内搬送構成部２１を開放可能となる。
【００５１】
紙葉類処理装置１は、操作表示部３１へのモード選択操作により選択される複数の動作モードで動作する。
【００５２】
「第１動作モード」
第１動作モードでは、下側リジェクト収容口１２を、リジェクト紙葉類と識別された紙葉類Ｓのうち、識別部２２で再度識別することで計数後収容口１４に収容される可能性がある紙葉類Ｓを収容するリジェクト仮収容口とし、上側リジェクト収容口１３を、リジェクト紙葉類と識別された紙葉類Ｓのうち、識別部２２で再度識別しても計数後収容口１４に収容される可能性がない紙葉類Ｓを収容するリジェクト決定収容口とする。
【００５３】
ここで、識別部２２で再度識別することで計数後収容口１４に収容される可能性があるリジェクト紙葉類として識別される紙葉類Ｓには、いずれも検出部２３で検出される、重送の紙葉類Ｓと、斜行の紙葉類Ｓと、前走の紙葉類Ｓとの間隔が所定値よりも狭いニアフィードの紙葉類Ｓと、に加えて、識別本体部２４で識別される、収容先すなわち行き先の計数後収容口１４がフルで集積できないためにリジェクトされる紙葉類Ｓと、が含まれる。識別部２２で再度識別しても計数後収容口１４に収容される可能性がないリジェクト紙葉類として識別される紙葉類Ｓには、偽の紙葉類Ｓ、損傷の紙葉類Ｓ、テープ貼付の紙葉類Ｓ、紫外線検査異常の紙葉類Ｓ、紙葉類Ｓとしては正常であるが該当する条件の計数後収容口１４がない紙葉類Ｓ（例えば、新券計数モードの際の旧券、千円券バッチ計数の際の他の金種など)等がある。
【００５４】
第１動作モードでは、分類処理開始前に、各計数後収容口１４に収容する計数対象紙葉類としての紙葉類Ｓの種類が設定されるようになっている。例えば、複数の計数後収容口１４のうちの一つの第１の計数後収容口１４に、識別部２２で計数後の紙葉類Ｓとして万円券の紙幣を、他の一つの第２の計数後収容口１４に、識別部２２で計数後の紙葉類Ｓとして五千円券の紙幣を、さらに他の一つの第３の計数後収容口１４に、識別部２２で計数後の紙葉類Ｓとして千円券の紙幣を、さらに他の一つの第４の計数後収容口１４に、識別部２２で計数後の紙葉類Ｓとして二千円券の紙幣を、それぞれ収容するように設定される。このように、計数後収容口１４に紙幣を金種別に分類して収納する場合、第１動作モードは、紙幣金種分類モードとなる。
【００５５】
例えば、このように各計数後収容口１４に収容する計数対象紙葉類としての紙葉類Ｓの種類が設定された状態で実行される第１動作モードでは、受入口１１に紙葉類Ｓが集積状態でセットされて操作表示部３１に一の分類処理のスタート操作が入力されると、制御部３２は、受入口１１に投入された紙葉類Ｓについて図５に示すフローチャートに沿って制御を行う。
【００５６】
すなわち、受入口１１にセットされた集積状態の紙葉類Ｓを取込部５５で一枚分離して繰り出させて紙葉類処理装置１内に取り込み（ステップＳａ１）、この紙葉類Ｓを搬送部３０で搬送させる。搬送部３０での搬送開始直後に、受入口１１の近傍に設けられた検出部２３が、この紙葉類Ｓの搬送状態を検出する（ステップＳａ２）。この紙葉類Ｓについて、検出部２３で検出された搬送状態が、重送、斜行およびニアフィードを含む異常搬送状態のリジェクト紙葉類である場合、制御部３２は、この紙葉類Ｓを計数せずに、搬送異常有りと判定し（ステップＳａ３：ＮＯ）、搬送部３０を制御して、この紙葉類Ｓを下側リジェクト収容口１２に搬送して収容させる（ステップＳａ４）。
【００５７】
他方、この紙葉類Ｓについて、検出部２３で検出された搬送状態が、重送、斜行およびニアフィードのいずれでもなく正常搬送である場合、制御部３２は、搬送異常なしと判定して（ステップＳａ３：ＹＥＳ）、この紙葉類Ｓを、識別部２２の検出部２３よりも下流側の識別本体部２４で識別させる（ステップＳａ５）。この紙葉類Ｓが、識別本体部２４の識別結果から、偽、損傷、テープ貼付、紫外線検査異常を含む識別異常のリジェクト紙葉類であると識別されると、制御部３２は、この紙葉類Ｓを計数せずに、識別異常ありと判定し（ステップＳａ６：ＮＯ）、搬送部３０を制御して、この紙葉類Ｓを上側リジェクト収容口１３に搬送して収容させる（ステップＳａ７）。
【００５８】
また、紙葉類Ｓが、識別本体部２４で識別異常でないと識別されると、制御部３２は、識別異常なしと判定する（ステップＳａ６：ＹＥＳ）。次に、この紙葉類Ｓが、その行き先となる計数後収容口１４がないリジェクト紙葉類である場合、制御部３２は、この紙葉類Ｓを計数せずに、行き先なしと判定し（ステップＳａ８：ＮＯ）、搬送部３０を制御して、上側リジェクト収容口１３に搬送して収容させる（ステップＳａ７）。識別異常でないと識別された紙葉類Ｓが、その行き先となる計数後収容口１４がある場合、制御部３２は、行き先ありと判定する（ステップＳａ８：ＹＥＳ）。次に、この紙葉類Ｓが、その行き先の計数後収容口１４がフルで集積できないリジェクト紙葉類である場合、制御部３２は、この紙葉類Ｓを計数せずに、フルであると判定し（ステップＳａ９：ＮＯ）、搬送部３０を制御して、この紙葉類Ｓを下側リジェクト収容口１２に搬送して収容させる（ステップＳａ４）。
【００５９】
また、その行き先となる計数後収容口１４があると識別された紙葉類Ｓが、その行き先となる計数後収容口１４がフルでなく収容できる計数対象紙葉類であると識別されると、制御部３２は、フルでないと判定して（ステップＳａ９：ＹＥＳ）、この紙葉類Ｓの種類、すなわちその金種の計数値を加算し、搬送部３０を制御して、この紙葉類Ｓを対応する計数後収容口１４に搬送して収容させる（ステップＳａ１０）。
【００６０】
以上により、計数後収容口１４は、識別部２２で計数対象紙葉類と識別されて計数された紙葉類Ｓを収容することになり、下側リジェクト収容口１２および上側リジェクト収容口１３は、識別部２２でリジェクト紙葉類と識別された紙葉類Ｓをリジェクト要因別に分類して収容する。その際に、下側リジェクト収容口１２には、識別部２２で再度識別することで計数後収容口１４に収容される可能性がある、重送の紙葉類Ｓと、斜行の紙葉類Ｓと、ニアフィードの紙葉類Ｓと、その行き先の計数後収容口１４がフルで集積できないためにリジェクトされる紙葉類Ｓと、を収容することになる。また、上側リジェクト収容口１３は、識別部２２で再度識別しても計数後収容口１４に収容される可能性がない、偽の紙葉類Ｓと、損傷の紙葉類Ｓと、テープ貼付の紙葉類Ｓと、紫外線検査異常の紙葉類Ｓと、紙葉類Ｓとしては正常であるが該当する条件の計数後収容口１４がない紙葉類Ｓと、を収容する。
【００６１】
ステップＳａ４，Ｓａ７，Ｓａ１０のそれぞれの後に、制御部３２は、受入口１１に紙葉類Ｓがあれば、受入口１１が空でないと判定して（ステップＳａ１１：ＮＯ）、ステップＳａ１に戻って、次の紙葉類Ｓを受入口１１から紙葉類処理装置１の内部に取り込ませることになる。受入口１１に紙葉類Ｓがなければ、受入口１１が空であると判定する（ステップＳａ１１：ＹＥＳ）。この状態では、受入口１１にセットされた全ての紙葉類Ｓが、下側リジェクト収容口１２、上側リジェクト収容口１３および計数後収容口１４のいずれかに収容されている。
【００６２】
次に、下側リジェクト収容口１２に収容している紙葉類Ｓがあれば、下側リジェクト収容口１２が空でないと判定して（ステップＳａ１２：ＮＯ）、下側リジェクト収容口１２に収容している紙葉類Ｓを受入口１１に投入するように指示する表示を、下側リジェクト収容口１２に設けられた図示略の有無表示照明の点灯状態および操作表示部３１への表示で報知する（ステップＳａ１３）。言い換えれば、識別部２２で再度識別することで計数後収容口１４に収容される可能性がある紙葉類Ｓが下側リジェクト収容口１２にある場合は、これを受入口１１に投入するように操作者に報知する。具体的には、下側リジェクト収容口１２に紙葉類Ｓが収容されることで点灯状態となった下側リジェクト収容口１２の有無表示照明を点滅状態とする。それと共に、操作表示部３１に、下側リジェクト収容口１２の紙葉類Ｓの受入口１１への戻し入れを促す旨の表示を表示させる。
【００６３】
このような報知により、操作者が、下側リジェクト収容口１２に収容している紙葉類Ｓを受入口１１にセットして、操作表示部３１に一の分類処理の再スタート操作を入力する。すると、制御部３２は、受入口１１に再投入された紙葉類Ｓについて再び図５に示すフローチャートに沿って制御を行う。これにより、下側リジェクト収容口１２に収容していた紙葉類Ｓが再度識別部２２で識別されることになり、搬送異常がなく（ステップＳａ３：ＹＥＳ）、識別異常もなく（ステップＳａ６：ＹＥＳ）、行き先があり（ステップＳａ８：ＹＥＳ）、行き先がフルでない（ステップＳａ９：ＹＥＳ）、と識別された紙葉類Ｓについては、その種類、すなわちその金種の計数値を加算し、搬送部３０を制御して、この紙葉類Ｓを対応する計数後収容口１４に搬送して収容させる。
【００６４】
下側リジェクト収容口１２に収容している紙葉類Ｓがなければ、下側リジェクト収容口１２が空であると判定して（ステップＳａ１２：ＹＥＳ）、今回の一の分類処理を終了する。なお、再度識別部２２で識別された後の紙葉類Ｓは、再び下側リジェクト収容口１２に収容される可能性があるため、ステップＳａ１３で報知画面を表示させている操作表示部３１への操作入力によって一の分類処理を強制終了できるようになっている。
【００６５】
ここで、第１動作モードでの一の分類処理において、受入口１１にセットされた紙葉類Ｓがすべて、下側リジェクト収容口１２、上側リジェクト収容口１３および計数後収容口１４のいずれかに収容された状態で、下側リジェクト収容口１２に収容された紙葉類Ｓが、リジェクト要因が斜行等の一枚のみである場合、この紙葉類Ｓは識別本体部２４による識別が完了しているため、その後、同じ一の分類処理において受入口１１から繰り出された紙葉類Ｓを、検出部２３で搬送状態を検出して、正常搬送と判定すると、識別本体部２４で再度識別することなく、この一枚のみの紙葉類Ｓに対応する金種の計数後収容口１４に収容するようにしても良い。
【００６６】
また、第１動作モードにおいて、下側リジェクト収容口１２および上側リジェクト収容口１３へ収容する紙葉類Ｓを逆にしても良い。すなわち、上側リジェクト収容口１３を、識別部２２で再度識別することで計数後収容口１４に収容される可能性があるリジェクト紙葉類と識別された紙葉類Ｓを収容するリジェクト仮収容口とし、下側リジェクト収容口１２を、識別部２２で再度識別しても計数後収容口１４に収容される可能性がないリジェクト紙葉類と識別された紙葉類Ｓを収容するリジェクト決定収容口としても良い。
【００６７】
「第２動作モード」
第２動作モードでは、上側リジェクト収容口１３に、カジノチケット（バウチャー）であるリジェクト紙葉類と識別された紙葉類Ｓを収容し、下側リジェクト収容口１２に、カジノチケット以外のリジェクト紙葉類と識別された紙葉類Ｓを収容する。
【００６８】
第２動作モードでも、第１動作モードと同様、分類処理開始前に、各計数後収容口１４に収容する計数対象紙葉類としての紙葉類Ｓの種類が設定されるようになっている。
【００６９】
第２動作モードでは、紙幣とカジノチケットとが混在した状態の紙葉類Ｓの中から、紙幣を金種別に計数しつつ分類しながら、カジノチケットも種類別に計数しつつ一纏めにして収容する。すなわち、第２動作モードは、紙幣を分類しつつ、紙幣とカジノチケットとを分離するモードとなる。
【００７０】
第２動作モードでは、受入口１１に紙葉類Ｓが集積状態でセットされて操作表示部３１に一の分類処理のスタート操作が入力されると、制御部３２は、受入口１１にセットされた紙葉類Ｓについて図６に示すフローチャートに沿って制御を行う。
【００７１】
すなわち、受入口１１にセットされた集積状態の紙葉類Ｓを取込部５５で一枚分離して繰り出させ（ステップＳａ１）、この紙葉類Ｓを搬送部３０で搬送させる。搬送部３０での搬送開始直後に、受入口１１の近傍に設けられた検出部２３が、この紙葉類Ｓの搬送状態を検出する（ステップＳａ２）。この紙葉類Ｓについて、検出部２３で検出された搬送状態が、重送、斜行およびニアフィードを含む異常搬送状態のリジェクト紙葉類である場合、制御部３２は、この紙葉類Ｓを計数せずに、搬送異常有りと判定し（ステップＳａ３：ＮＯ）、搬送部３０を制御して、この紙葉類Ｓを下側リジェクト収容口１２に搬送して収容させる（ステップＳａ４）。
【００７２】
また、紙葉類Ｓが、検出部２３で、重送、斜行およびニアフィードのいずれでもなく正常搬送であると判定されると、制御部３２は、搬送異常なしと判定して（ステップＳａ３：ＹＥＳ）、この紙葉類Ｓを、識別部２２の識別本体部２４に識別させる（ステップＳａ５）。この紙葉類Ｓが、識別本体部２４の識別結果から、偽、損傷、テープ貼付、紫外線検査異常を含む識別異常のリジェクト紙葉類であると識別されると、制御部３２は、この紙葉類Ｓを計数せずに、識別異常ありと判定し（ステップＳｂ１：ＮＯ）、搬送部３０を制御して、この紙葉類Ｓを下側リジェクト収容口１２に搬送して収容させる（ステップＳａ４）。ここで、第２動作モードでは、ステップＳａ５において、識別した紙葉類Ｓが予め登録されたカジノチケットであると識別されると、制御部３２は、この紙葉類Ｓについては、識別異常なしと判定する。
【００７３】
紙葉類Ｓが、識別本体部２４で、識別異常でないと識別されると、制御部３２は、識別異常なしと判定する（ステップＳｂ１：ＹＥＳ）。次に、この紙葉類Ｓが、予め登録されたカジノチケットであると識別すると（ステップＳｂ２：ＹＥＳ）、この紙葉類Ｓの種類の計数値を加算し、搬送部３０を制御して、この紙葉類Ｓを上側リジェクト収容口１３に搬送して収容させる（ステップＳａ７）。この紙葉類Ｓが、予め登録されたカジノチケットでないと識別すると（ステップＳｂ２：ＮＯ）、制御部３２は、この紙葉類Ｓが、その行き先となる計数後収容口１４がないリジェクト紙葉類である場合、この紙葉類Ｓを計数せずに、行き先なしと判定し（ステップＳｂ３：ＮＯ）、搬送部３０を制御して、この紙葉類Ｓを下側リジェクト収容口１２に搬送して収容させる（ステップＳａ４）。識別異常でなく、予め登録されたカジノチケットでないと識別された紙葉類Ｓが、その行き先となる計数後収容口１４がある場合、制御部３２は、行き先ありと判定する（ステップＳｂ３：ＹＥＳ）。次に、この紙葉類Ｓが、その行き先の計数後収容口１４がフルで集積できないリジェクト紙葉類である場合、制御部３２は、この紙葉類Ｓを計数せずに、フルであると判定し（ステップＳａ９：ＮＯ）、搬送部３０を制御して、この紙葉類Ｓを下側リジェクト収容口１２に搬送して収容させる（ステップＳａ４）。
【００７４】
また、その行き先となる計数後収容口１４があると識別された紙葉類Ｓが、その行き先となる計数後収容口１４がフルでなく収容できる計数対象紙葉類であると、制御部３２は、フルでないと判定して（ステップＳａ９：ＹＥＳ）、この紙葉類Ｓの種類、すなわちその金種の計数値を加算し、搬送部３０を制御して、この紙葉類Ｓを対応する計数後収容口１４に搬送して収容させる（ステップＳａ１０）。
【００７５】
以上により、計数後収容口１４は、識別部２２で計数対象紙葉類と識別されて計数された紙葉類Ｓを収容することになり、下側リジェクト収容口１２および上側リジェクト収容口１３は、識別部２２でリジェクト紙葉類と識別された紙葉類Ｓをリジェクト要因別に分類して収容する。その際に、上側リジェクト収容口１３には、カジノチケットと識別された紙葉類Ｓを収容し、下側リジェクト収容口１２には、カジノチケット以外のリジェクト紙葉類と識別された紙葉類Ｓを収容する。
【００７６】
次に、制御部３２は、受入口１１に紙葉類Ｓがあれば、受入口１１が空でないと判定して（ステップＳａ１１：ＮＯ）、ステップＳａ１に戻って、次の紙葉類Ｓを受入口１１から内部に取り込ませることになる。受入口１１に紙葉類Ｓがなければ、受入口１１が空であると判定し（ステップＳａ１１：ＹＥＳ）、下側リジェクト収容口１２に収容している紙葉類Ｓがあれば、下側リジェクト収容口１２が空でないと判定して（ステップＳａ１２：ＮＯ）、下側リジェクト収容口１２に収容している紙葉類Ｓを受入口１１にセットするように促す表示を、下側リジェクト収容口１２に設けられた図示略の有無表示照明の点灯状態および操作表示部３１への表示で報知する（ステップＳａ１３）。
【００７７】
このような報知により、操作者が、下側リジェクト収容口１２に収容している紙葉類Ｓを受入口１１にセットして、操作表示部３１に一の分類処理の再スタート操作を入力する。すると、制御部３２は、受入口１１に再投入された紙葉類Ｓについて再び図６に示すフローチャートに沿って制御を行う。これにより、下側リジェクト収容口１２に収容していた紙葉類Ｓが再度識別部２２で識別されることになり、搬送異常がなく（ステップＳａ３：ＹＥＳ）、識別異常もなく（ステップＳｂ１：ＹＥＳ）、カジノチケットでなく（ステップＳｂ２：ＮＯ）、行き先があり（ステップＳｂ３：ＹＥＳ）、行き先がフルでない（ステップＳａ９：ＹＥＳ）、と識別された紙葉類Ｓについては、その種類、すなわちその金種の計数値を加算し、搬送部３０を制御して、この紙葉類Ｓを対応する計数後収容口１４に搬送して収容させる。
【００７８】
下側リジェクト収容口１２に収容している紙葉類Ｓがなければ、下側リジェクト収容口１２が空であると判定して（ステップＳａ１２：ＹＥＳ）、今回の一の分類処理を終了する。
【００７９】
ここで、第２動作モードにおいて、下側リジェクト収容口１２および上側リジェクト収容口１３へ収容する紙葉類Ｓを逆にしても良い。すなわち、下側リジェクト収容口１２に、カジノチケットと識別された紙葉類Ｓを収容し、上側リジェクト収容口１３に、カジノチケット以外のリジェクト紙葉類と識別された紙葉類Ｓを収容するようにしても良い。
【００８０】
また、第２動作モードにおいて、受入口１１が空であると判定すると（ステップＳａ１１：ＹＥＳ）、ステップＳａ１２，Ｓａ１３は行わずに、上側リジェクト収容口１３に収容している紙葉類Ｓがあれば、カジノチケットの金額や種類等の選別が必要であるか否かを操作表示部３１に入力させ、カジノチケットの金額や種類等の選別が必要であると入力された場合、上側リジェクト収容口１３および下側リジェクト収容口１２を空にして、上側リジェクト収容口１３に収容されていたカジノチケットを受入口１１に再投入するように操作表示部３１で報知し、その後、操作表示部３１に再スタート操作が入力されると、受入口１１に再投入されたカジノチケットを識別部２２で識別してその金額や種類等により２つの上側リジェクト収容口１３および下側リジェクト収容口１２に分類して収容するようにしてもよい。
【００８１】
「第３動作モード」
第３動作モード（記番号識別モード）では、上側リジェクト収容口１３に、紙幣の記番号が要因でリジェクト紙葉類と識別された紙葉類Ｓを収容し、下側リジェクト収容口１２に、記番号が要因でリジェクト紙葉類と識別された紙葉類Ｓ以外のリジェクト紙葉類と識別された紙葉類Ｓを収容する。第３動作モードにおいても、紙幣を分類して計数後収容口１４に収容させながら、記番号が要因でリジェクト紙葉類と識別された紙葉類Ｓを分離することができる。ここで、記番号が要因でリジェクト紙葉類と識別される紙葉類には、記番号が識別本体部２４で読めない場合、記番号が２箇所印字されている場合に２箇所の番号が異なる場合、偽札として登録されている記番号を識別した場合等が含まれる。
【００８２】
ここで、第３動作モードにおいて、下側リジェクト収容口１２および上側リジェクト収容口１３へ収容する紙葉類Ｓを逆にしても良い。すなわち、下側リジェクト収容口１２に、紙幣の記番号が要因でリジェクト紙葉類と識別された紙葉類Ｓを収容し、上側リジェクト収容口１３に、記番号が要因でリジェクト紙葉類と識別された紙葉類Ｓ以外のリジェクト紙葉類と識別された紙葉類Ｓを収容するようにしても良い。
【００８３】
また、第３動作モードにおいて、上側リジェクト収容口１３に収容された、記番号が要因でリジェクト紙葉類と識別された紙葉類Ｓを受入口１１に再投入するように報知し、受入口１１に再投入されて、操作表示部３１に再スタート操作が入力されると、いずれも識別部２２で再度識別することで計数後収容口１４に収容される可能性がある、記番号が読めない紙幣と識別された紙葉類Ｓおよび２箇所の番号が異なる紙幣と識別された紙葉類Ｓと（汚れ等で読取りに問題あり）を、上側リジェクト収容口１３および下側リジェクト収容口１２のうちの一方に収容し、識別部２２で再度識別しても計数後収容口１４に収容される可能性がない、偽札として検出された紙葉類Ｓを、上側リジェクト収容口１３および下側リジェクト収容口１２のうちの他方に収容するようにしてもよい。
【００８４】
第１〜第３動作モードのいずれにおいても、下側リジェクト収容口１２、上側リジェクト収容口１３および複数の計数後収容口１４のうちのいずれか一つがフル状態になると、制御部３２は、図示略の有無表示照明を点滅状態に切り替えると共に、操作表示部３１に、フル状態の収容口の紙葉類Ｓを抜き取るように指示する表示を表示させる。
【００８５】
第１〜第３動作モードの選択は、例えば、操作表示部３１への操作入力で行われるようにしても良いが、受入口１１から最初に繰り出されて識別部２２で識別された紙葉類Ｓが紙幣の場合は、自動的に第１動作モードとし、受入口１１から最初に繰り出されて識別部２２で識別された紙葉類Ｓが登録されたカジノチケットの場合には、自動的に第２動作モードとし、第３動作モードのみ、操作表示部３１への操作入力で選択するようにしても良い。
【００８６】
以上に述べた第１実施形態の紙葉類処理装置１によれば、識別部２２でリジェクト紙葉類と識別された紙葉類Ｓをリジェクト要因別に分類して収容する複数の下側リジェクト収容口１２および上側リジェクト収容口１３を有するため、リジェクト紙葉類と識別された紙葉類Ｓをリジェクト要因によって分類し、特定のリジェクト要因とそれ以外のリジェクト要因の紙幣とに選別することができる。よって、リジェクト紙葉類と識別された紙葉類Ｓに対して行う、その後の処理の効率を向上させることができる。
【００８７】
例えば、従来の紙幣類処理装置では、受入口に投入された紙葉類のうち、識別が不能な識別不能紙幣や重送等の受入不可紙幣が収容されるリジェクト収容口を一つ有しているが、リジェクト収容口に収容された紙幣のうち、リジェクト要因（例えば、重送、斜行、ニアフィード等）によっては、受入口に再投入し、再識別させることで受入可能になる場合がある。一方で、リジェクト要因（例えば、偽、損傷、テープ貼付、紫外線検査異常等）によっては、最初の識別時において、再識別してもリジェクト紙葉類と識別されることがないと決定される紙葉類もある。
【００８８】
このため、第１動作モードで、リジェクト仮収容口として設定された下側リジェクト収容口１２に、リジェクト紙葉類と識別された紙葉類Ｓのうち、識別部２２で再度識別することで計数後収容口１４に収容される可能性があるリジェクト要因（例えば、重送、斜行、ニアフィード等）の紙葉類Ｓを収容し、リジェクト決定収容口として設定された上側リジェクト収容口１３に、リジェクト紙葉類と識別された紙葉類Ｓのうち、識別部２２で再度識別しても計数後収容口１４に収容される可能性がないリジェクト要因（例えば、偽、損傷、テープ貼付、紫外線検査異常等）の紙葉類Ｓを収容する。これにより、下側リジェクト収容口１２に収容された紙葉類Ｓのみを識別部２２で再識別させれば、この再識別で計数対象紙葉類と識別された紙葉類Ｓを計数後収容口１４に収容できる。よって、リジェクト紙葉類と識別された全ての紙葉類Ｓを再識別させる場合と比べて、再識別処理に要する時間を短縮できる。
【００８９】
また、識別部２２で再度識別することで計数後収容口１４に収容される可能性があるリジェクト要因の紙葉類Ｓを、下側リジェクト収容口１２および上側リジェクト収容口１３のうち、受入口１１に近い下側リジェクト収容口１２に収容するため、再セット時の受入口１１への紙葉類Ｓの移動距離を短縮でき、再セットの作業性が良い。なお、識別部２２で再度識別することで計数後収容口１４に収容される可能性があるリジェクト要因の紙葉類Ｓを、下側リジェクト収容口１２および上側リジェクト収容口１３のうち、上側の上側リジェクト収容口１３に収容することも可能である。この場合、識別部２２で再度識別することで計数後収容口１４に収容される可能性があるリジェクト要因の紙葉類Ｓの有無が容易に視認できることになる。
【００９０】
また、第２動作モードでは、カジノチケット収容口として設定された上側リジェクト収容口１３に、リジェクト紙葉類と識別された紙葉類Ｓのうち、予め登録されたカジノチケットと識別された紙葉類Ｓを収容し、下側リジェクト収容口１２に、リジェクト紙葉類と識別された紙葉類Ｓのうち、予め登録されたカジノチケットと識別された紙葉類Ｓ以外の紙葉類Ｓを収容することができる。したがって、予め登録されたカジノチケットを、他のリジェクト紙葉類と分離する処理に要する時間を短縮できる。
【００９１】
また、第１動作モードでは、リジェクト紙葉類と識別されて、リジェクト仮収容口として設定された下側リジェクト収容口１２に収容された紙葉類Ｓが、リジェクト要因が斜行等の一枚のみである場合、その後、受入口１１から繰り出された紙葉類Ｓを、検出部２３で搬送状態を検出して、正常搬送と判定すると、識別本体部２４で再度識別することなく、対応する計数後収容口１４に収容するため、電力消費を抑制することができ、処理の高速化も図れる。勿論、識別本体部２４で再度識別してその結果を無視しても良く、また識別本体部２４を通らない別搬送路を設けて、この別搬送路で搬送して対応する計数後収容口１４に収容するようにしても良い。
【００９２】
また、受入口１１を、装置本体８１から横方向に識別部２２とは反対側に引き出すことで、識別部２２と搬送部３０（左方延出部２１ａ）とを開放可能となる。よって、ジャム紙葉類の取り出しが容易となる。加えて、ジャム紙葉類の取り出しのために搬送部３０を作動させる必要がなくなるため、搬送ルートの自由度を高め、紙葉類処理装置１の小型化を実現できる。
【００９３】
＜第２実施形態＞
本発明に係る第２実施形態の紙葉類処理装置を、図７，図８を参照して第１実施形態との相違部分を中心に以下に説明する。
【００９４】
第２実施形態においては、下側リジェクト収容口１２および上側リジェクト収容口１３のうち受入口１１に近い下側リジェクト収容口１２が、収容している紙葉類Ｓを最下部のものから一枚ずつ繰り出し可能となっている。また、下側リジェクト収容口１２から繰り出された紙葉類Ｓを搬送部３０とで識別部２２に搬送する戻し搬送部１０１が設けられている。戻し搬送部１０１は、下側リジェクト収容口１２の底部６０から延出しており、ベース機内搬送構成部２１の検出部２３と識別本体部２４との間に合流している。
【００９５】
第２実施形態の下側リジェクト収容口１２は、底部６０の位置に、底部６０上に集積された紙葉類Ｓの最下のものに当接してこれを戻し搬送部１０１側に蹴り出す蹴出ローラ１０２と、蹴出ローラ１０２で蹴り出された紙葉類Ｓを戻し搬送部１０１に繰り出す繰出ローラ１０３と、繰出ローラ１０３が繰り出す紙葉類Ｓを一枚ずつに分離する分離ローラ１０４とを有している。蹴出ローラ１０２と繰出ローラ１０３と分離ローラ１０４とが、下側リジェクト収容口１２の紙葉類Ｓを一枚ずつ分離して繰り出す繰出部１０５を構成している。第２実施形態の下側リジェクト収容口１２の底部６０の上方には、制御部３２に制御されて昇降するビルプレス１０８が設けられている。ビルプレス１０８は、底部６０上に載置された紙葉類Ｓを底部６０に向けて押圧する。
【００９６】
第２実施形態においては、識別部２２が、第１実施形態の検出部２３および識別本体部２４に加えて、戻し搬送部１０１の下側リジェクト収容口１２側の端部位置に設けられて、下側リジェクト収容口１２が繰り出す紙葉類Ｓの搬送状態を検出する検出部１１０を有している。検出部１１０は検出部２３と同様にして紙葉類Ｓの搬送状態を検出する。
【００９７】
第２実施形態においても、第１実施形態の第１動作モードと同様、下側リジェクト収容口１２を、リジェクト紙葉類と識別された紙葉類Ｓのうち、識別部２２で再度識別することで計数後収容口１４に収容される可能性がある紙葉類Ｓを収容するリジェクト仮収容口とし、上側リジェクト収容口１３を、リジェクト紙葉類と識別された紙葉類Ｓのうち、識別部２２で再度識別しても計数後収容口１４に収容される可能性がない紙葉類Ｓを収容するリジェクト決定収容口とする。
【００９８】
第２実施形態において、受入口１１に紙葉類Ｓが集積状態でセットされて操作表示部３１に一の分類処理のスタート操作が入力されると、制御部３２は、受入口１１にセットされた紙葉類Ｓについて図８に示すフローチャートに沿って制御を行う。
【００９９】
すなわち、制御部３２は、第１実施形態の第１動作モードと同様のステップＳａ１〜Ｓａ１１を行うことになり、ステップＳａ１１において、受入口１１に紙葉類Ｓがなくなって受入口１１が空であると判定する（ステップＳａ１１：ＹＥＳ）と、下側リジェクト収容口１２に収容している紙葉類Ｓがあれば下側リジェクト収容口１２が空でないと判定して（ステップＳａ１２：ＮＯ）、下側リジェクト収容口１２に収容している紙葉類Ｓを、自動的に繰出部１０５が戻し搬送部１０１に一枚繰り出して識別部２２に向け再搬送する（ステップＳｃ１）。これにより、下側リジェクト収容口１２から繰り出された紙葉類Ｓが、検出部１１０で搬送状態が検出された後（ステップＳａ２）、再度識別本体部２４で識別されることになり、その際に、検出部１１０で搬送異常がなく（ステップＳａ３：ＹＥＳ）、識別本体部２４で識別異常もなく（ステップＳａ６：ＹＥＳ）、行き先があり（ステップＳａ８：ＹＥＳ）、行き先がフルでない（ステップＳａ９：ＹＥＳ）、と識別された紙葉類Ｓについては、その種類、すなわちその金種の計数値を加算し、搬送部３０を制御して、この紙葉類Ｓを対応する計数後収容口１４に搬送して収容させる（ステップＳａ１０）。下側リジェクト収容口１２に収容している紙葉類Ｓがなければ、下側リジェクト収容口１２が空であると判定して（ステップＳａ１２：ＹＥＳ）、今回の一の分類処理を終了する。なお、再度識別本体部２４で識別された後の紙葉類Ｓは、再び下側リジェクト収容口１２に収容される可能性があるため、一の分類処理において、所定回数ステップＳｃ１が実行されるか、所定時間経過すると、一の分類処理を強制終了する。
【０１００】
第２実施形態においては、受入口１１にセットされた紙葉類Ｓがすべて、下側リジェクト収容口１２、上側リジェクト収容口１３および計数後収容口１４のいずれかに収容された状態で、下側リジェクト収容口１２に収容された紙葉類Ｓが、リジェクト要因が斜行等の一枚のみである場合、この紙葉類Ｓは識別本体部２４による識別が完了しているため、その後、制御部３２は、自動的に下側リジェクト収容口１２から紙葉類Ｓを繰り出させ、この紙葉類Ｓを、検出部１１０で搬送状態を検出して、正常搬送と判定すると、識別本体部２４で再度識別することなく、この一枚の紙葉類Ｓに対応する金種の計数後収容口１４に収容する。
【０１０１】
すなわち、第２実施形態では、受入口１１に近い下側リジェクト収容部１２に収容された紙葉類Ｓを再び識別本体部２４へ導く戻し搬送路１０１を設け、この下側リジェクト収容部１２に再識別により受入可能となる可能性のある紙葉類Ｓを収容し、この下側リジェクト収容部１２の紙葉類Ｓを自動的に再識別する。
【０１０２】
以上に述べた第２実施形態の紙葉類処理装置１によれば、リジェクト紙葉類と識別された紙葉類Ｓのうち、識別部２２で再度識別することで計数後収容口１４に収容される可能性がある紙葉類Ｓを、収容している下側リジェクト収容口１２が一枚ずつ繰り出し、戻し搬送部１０１が検出部１１０および識別本体部２４を含む識別部２２に搬送するため、下側リジェクト収容口１２の紙葉類Ｓを自動的に再度識別することができる。よって、操作者の手作業による紙葉類Ｓの戻し操作が不要になるため、さらに効率的に紙幣処理が行うことが可能になる。
【０１０３】
また、リジェクト紙葉類と識別されて、下側リジェクト収容口１２に収容された紙葉類Ｓが、リジェクト要因が斜行等の一枚のみである場合、その後、下側リジェクト収容口１２から繰り出された紙葉類Ｓを、検出部１１０で搬送状態を検出して、正常搬送と判定すると、識別本体部２４で再度識別することなく、対応する計数後収容口１４に収容するため、電力消費を抑制することができ、処理の高速化も図れる。勿論、識別本体部２４で再度識別してその結果を無視しても良く、また識別本体部２４を通らない別搬送路を設けて、この別搬送路で搬送して対応する計数後収容口１４に収容するようにしても良い。
【０１０４】
なお、戻し搬送部１０１および繰出部１０５を設けるのではなく、下側リジェクト収容口１２に収容された紙葉類Ｓを集積状態のまま受入口１１へ移動させるリフトを設け、制御部３２が、下側リジェクト収容口１２に収容された紙葉類Ｓを、このリフトで受入口１１へ移動させ、続けて、受入口１１から一枚ずつ繰り出させるようにしても良い。
【０１０５】
＜第３実施形態＞
本発明に係る第３実施形態の紙葉類処理装置を、図９を参照して第１実施形態との相違部分を中心に以下に説明する。
【０１０６】
ベース機２には、複数の分類収容機３が処理機として連設可能となっており、また、複数の結束機１２１も連設可能となっている。第３実施形態の紙葉類処理装置１は、ベース機２に、第１実施形態と同様の分類収容機３が複数、具体的には３台連設されており、これらのベース機２とは反対側に、処理機としての複数、具体的には２台の結束機１２１が連設されて構成されている。第１実施形態と同様、３台の分類収容機３は、いずれも、連結搬送構成部２７Ａと分岐搬送構成部２７Ｂとが独立して駆動可能となっている。
【０１０７】
結束機１２１は、結束機内搬送構成部１２２（処理機内搬送構成部）を有している。結束機内搬送構成部１２２は、結束機１２１の右側面の上部に開口し、結束機１２１の左側面に向け水平かつ直線状に延出して左側面に開口する連結搬送構成部１２２Ａと、連結搬送構成部１２２Ａの左側部分から下側に分岐する分岐搬送構成部１２２Ｂとを有している。連結搬送構成部１２２Ａと分岐搬送構成部１２２Ｂとは、それぞれ個別の駆動モータを有しており、独立して駆動可能となっている。
【０１０８】
分岐搬送構成部１２２Ｂは、連結搬送構成部１２２Ａから分岐して鉛直下方に延出した後、結束機１２１の右側面の方向に延出する下方延出部１２２Ｂａと、下方延出部１２２Ｂａから分岐して結束機１２１の右側面の方向に延出する分岐延出部１２２Ｂｂと、を有している。
【０１０９】
結束機１２１は、下方延出部１２２Ｂａの末端位置と、分岐延出部１２２Ｂｂの末端位置とにそれぞれ接続される整列集積部１２５を有している。整列集積部１２５は、紙葉類Ｓを所定枚数（１００枚）ずつ整列させて集積させる。結束機１２１は、整列集積部１２５の右方に、整列集積部１２５から右方に送り出された集積紙幣を載置させて鉛直下方に搬送する下降搬送部１２６を有している。また、結束機１２１は、整列集積部１２５の下方に、下降搬送部１２６で下降搬送され下降搬送部１２６から左方に送り出された集積紙幣を結束テープで結束することにより小束紙幣を作製する結束部１２７を有している。
【０１１０】
さらに、結束機１２１は、結束部１２７の下方に、結束部１２７で作製された小束紙幣を複数束収容可能な引き出し式の機外放出部１２８を有している。機外放出部１２８は、結束機１２１の前面から引き出し可能となっている。つまり、機外放出部１２８は、結束機１２１に押し込まれた状態で結束部１２７から小束紙幣を受け入れることになり、その後、結束機１２１の前面から引き出されることで、小束紙幣が機外へ取り出し可能となる。
【０１１１】
第３実施形態の紙葉類処理装置１は、ベース機２のベース機内搬送構成部２１の左方延出部２１ｃが、ベース機２に隣り合って連設される右から１台目の分類収容機３の分類収容機内搬送構成部２７の連結搬送構成部２７Ａに接続されており、この右から１台目の分類収容機３の連結搬送構成部２７Ａが、この分類収容機３に隣り合って連設される右から２台目の分類収容機３の分類収容機内搬送構成部２７の連結搬送構成部２７Ａに接続されていて、この右から２台目の分類収容機３の連結搬送構成部２７Ａが、この分類収容機３に隣り合って連設される右から３台目の分類収容機３の分類収容機内搬送構成部２７の連結搬送構成部２７Ａに接続されている。
【０１１２】
また、この右から３台目の分類収容機３の連結搬送構成部２７Ａが、この分類収容機３に隣り合って連設される右から１台目の結束機１２１の結束機内搬送構成部１２２の連結搬送構成部１２２Ａに接続されており、この右から１台目の結束機１２１の連結搬送構成部１２２Ａが、この結束機１２１に隣り合って連設される右から２台目の結束機１２１の結束機内搬送構成部１２２の連結搬送構成部１２２Ａに接続されている。
【０１１３】
ベース機２のベース機内搬送構成部２１と、３台の分類収容機３のそれぞれの分類収容機内搬送構成部２７と、２台の結束機１２１のそれぞれの結束機内搬送構成部１２２とが、第３実施形態の紙葉類処理装置１の搬送部３０を構成している。
【０１１４】
ここで、例えば、右から１台目の分類収容機３と右から２台目の分類収容機３とを見てみると、右から１台目の分類収容機３が、搬送部３０を構成する一の分類収容機内搬送構成部２７と計数後収容口１４とを有する一の処理機となり、右から２台目の分類収容機３が、搬送部３０を構成する他の分類収容機内搬送構成部２７を有する他の処理機となって、これらがベース機２に連設されている。この場合、右から１台目の分類収容機３の一の分類収容機内搬送構成部２７は、隣り合うベース機２に設けられたベース機内搬送構成部２１と、ベース機２とは反対側に隣り合って連設される右から２台目の分類収容機３に設けられた他の分類収容機内搬送構成部２７とを結ぶ。
【０１１５】
また、例えば、右から２台目の分類収容機３と右から３台目の分類収容機３とを見てみると、右から２台目の分類収容機３が、搬送部３０を構成する一の分類収容機内搬送構成部２７と計数後収容口１４とを有する一の処理機となり、右から３台目の分類収容機３が、搬送部３０を構成する他の分類収容機内搬送構成部２７を有する他の処理機となって、これらが右から１台目の分類収容機３を介してベース機２に連設されている。この場合、右から２台目の分類収容機３の一の分類収容機内搬送構成部２７は、ベース機２側に隣り合って連設される右から１台目の分類収容機３に設けられた他の分類収容機内搬送構成部２７と、ベース機２とは反対側に隣り合って連設される右から３台目の分類収容機３に設けられた他の分類収容機内搬送構成部２７とを結ぶ。
【０１１６】
また、例えば、右から３台目の分類収容機３と右から１台目の結束機１２１とを見てみると、右から３台目の分類収容機３が、搬送部３０を構成する一の分類収容機内搬送構成部２７と計数後収容口１４とを有する一の処理機となり、右から１台目の結束機１２１が、搬送部３０を構成する他の結束機内搬送構成部１２２を有する他の処理機となって、これらが右から１台目および２台目の分類収容機３を介してベース機２に連設されている。この場合、右から３台目の分類収容機３の一の分類収容機内搬送構成部２７は、ベース機２側に隣り合って連設される右から２台目の分類収容機３に設けられた他の分類収容機内搬送構成部２７と、ベース機２とは反対側に隣り合って連設される右から１台目の結束機１２１に設けられた結束機内搬送構成部１２２とを結ぶ。
【０１１７】
第３実施形態の紙葉類処理装置１によれば、全ての分類収容機３は、連結搬送構成部２７Ａと分岐搬送構成部２７Ｂとが独立して駆動可能であるため、例えば、右から１台目の分類収容機３において、分岐搬送構成部２７Ｂに駆動モータの異常等が発生して駆動不可な状態となっても、連結搬送構成部２７Ａで、右から２台目の分類収容機３にベース機２から紙葉類Ｓを搬送可能となり、ベース機２と右から２台目の分類収容機３とで第１実施形態と同様の分類処理を行うことができる。
【０１１８】
また、例えば、ベース機２と右から１台目の分類収容機３とで一の分類処理中に、右から１台目の分類収容機３において、分岐搬送構成部２７Ｂにジャム等が発生して紙葉類Ｓの搬送が不可な状態となっても、連結搬送構成部２７Ａで、右から２台目の分類収容機３にベース機２から紙葉類Ｓを搬送可能となり、ベース機２と右から２台目の分類収容機３とで一の分類処理を継続することができる。ベース機２と右から３台目の分類収容機３とで第１実施形態と同様の分類処理を行うこともできる。
【０１１９】
また、全ての分類収容機３は連結搬送構成部２７Ａと分岐搬送構成部２７Ｂとが独立して駆動可能であるため、例えば、２台の結束機１２１の少なくともいずれか一方で結束処理を行う場合に、全ての分類収容機３の分岐搬送構成部２７Ｂを非駆動とし、連結搬送構成部２７Ａのみを駆動して紙葉類Ｓを搬送することができる。よって、電力消費を抑制することができ、騒音を低減することができる。
【０１２０】
また、連結搬送構成部２７Ａと分岐搬送構成部２７Ｂとがそれぞれ個別の駆動モータを有しており、連結搬送構成部１２２Ａと分岐搬送構成部１２２Ｂとがそれぞれ個別の駆動モータを有しているため、それぞれの駆動モータにかかる負荷を減らすことができるので、動力伝達部品が高耐久となり、騒音も抑えることができる。
【０１２１】
なお、これらの効果は、一つの駆動モータの動力をクラッチの切り替えで連結搬送構成部２７Ａと分岐搬送構成部２７Ｂとに伝達して、連結搬送構成部２７Ａと分岐搬送構成部２７Ｂとを独立して駆動可能とし、一つの駆動モータの動力をクラッチの切り替えで連結搬送構成部１２２Ａと分岐搬送構成部１２２Ｂとに伝達して、連結搬送構成部１２２Ａと分岐搬送構成部１２２Ｂとを独立して駆動可能としても奏することができる。
【０１２２】
また、連結搬送構成部２７Ａと分岐搬送構成部２７Ｂとがそれぞれ個別の駆動モータを有しており、連結搬送構成部１２２Ａと分岐搬送構成部１２２Ｂとがそれぞれ個別の駆動モータを有しているため、それぞれの駆動ユニットを別体化でき、ユニット交換が容易となる。
【符号の説明】
【０１２３】
１  紙葉類処理装置
２  ベース機
３  分類収容機（処理機）
１１  受入口
１２  下側リジェクト収容口（リジェクト収容口，リジェクト仮収容口）
１３  上側リジェクト収容口（リジェクト収容口，リジェクト決定収容口）
１４  計数後収容口
２１  ベース機内搬送構成部
２２  識別部
２３，１１０  検出部
２４  識別本体部
２７  分類収容機内搬送構成部（処理機内搬送構成部）
２７Ａ，１２２Ａ  連結搬送構成部
２７Ｂ，１２２Ｂ  分岐搬送構成部
３０  搬送部
３２  制御部
８１   装置本体
１０１  戻し搬送部
１２１  結束機（処理機）
１２２  結束機内搬送構成部（処理機内搬送構成部）
Ｓ  紙葉類
【図１】
2018169853.tif 000003
【図２】
2018169853.tif 000004
【図３】
2018169853.tif 000005
【図４】
2018169853.tif 000006
【図５】
2018169853.tif 000007
【図６】
2018169853.tif 000008
【図７】
2018169853.tif 000009
【図８】
2018169853.tif 000010
【図９】
2018169853.tif 000011